(57)【特許請求の範囲】
【請求項１】
直立する１本の中央支柱と、中央支柱に支持された屋根枠とを備え、屋根枠は、中央支柱の上端領域に配設された支持部にそれぞれ基端部がねじ部材により離脱可能に締結されて支持部から半径方向外方にかつ周方向に所定角度の間隔をおいて延び出すよう支持された複数の放射梁と、相互に周方向に隣り合う放射梁の先端部間を水平方向に延在して両端部が対応する放射梁にねじ部材により離脱可能に締結される外郭連結梁、又は該外郭連結梁及び相互に周方向に隣り合う放射梁の中間部間を水平方向にかつ該外郭連結梁と平行に延在して両端部が対応する放射梁に離脱可能に連結される中間連結梁、とを備え、放射梁の各々は、平面から見て、半径方向先端間を結ぶ仮想直線が３角形以上の仮想多角形をなすよう各々の全長が設定され、
放射梁の各々の、外郭連結梁が連結される先端部、又は中間連結梁が連結される中間部、又は外郭連結梁が連結される先端部及び中間連結梁が連結される中間部、には支持連結部材が配設され、支持連結部材の各々は、ウェブとウェブの両側から垂下する一対の側フランジと側フランジの各々の下端から相互に離隔する方向に水平に延び出す支持フランジとからなるチャンネル板部と、チャンネル板部の支持フランジの各々の上面に固着されて該上面から直立する雌ねじ部材とを備えかつ、チャンネル板部が対応する放射梁に対し上方から嵌合されて固着され、
外郭連結梁の各々の該両端部、又は中間連結梁の各々の該両端部、又は外郭連結梁の各々及び中間連結梁の各々の該両端部、には、上下方向の軸線を有する取付穴が形成され、外郭連結梁の各々の該両端部、又は中間連結梁の各々の該両端部、又は外郭連結梁の各々及び中間連結梁の各々の該両端部は、取付穴の各々がそれぞれ対応する放射梁の支持連結部材における支持フランジの一方の雌ねじ部材に上方から嵌合されて該支持フランジの一方の上面に載置・支持されかつ上方から雄ねじ部材が対応する雌ねじ部材に螺合させられることにより該放射梁の該先端部、又は該中間部、又は該先端部及び該中間部、に離脱可能に締結される、
ことを特徴とする組立式構造物。
【請求項２】
直立する１本の中央支柱と、中央支柱の上端領域に配設された支持部にそれぞれ基端部がねじ部材により離脱可能に締結されて支持部から半径方向外方にかつ周方向に所定角度の間隔をおいて延び出すよう支持された複数の放射梁と、放射梁の各々に離脱可能に連結される屋根板支持枠体と、相互に周方向に隣り合う屋根板支持枠体の各々間に架け渡されて、それぞれ離脱可能に連結される屋根板ユニットとを備え、放射梁の各々は、平面から見て、半径方向先端間を結ぶ仮想直線が３角形以上の仮想多角形をなすよう各々の全長が設定され、
屋根板支持枠体の各々は、細長いウェブとウェブの両側から直立する一対の側フランジとからなる支持連結チャンネル板と、ウェブとウェブの両側から垂下する一対の側フランジとからなる複数の取付チャンネル板とを備えかつ、支持連結チャンネル板のウェブの下面に長手方向に間隔をおいて複数の取付チャンネル板のウェブの上面が重合・固着され、屋根板支持枠体の各々における取付チャンネル板の各々が対応する放射梁に上方から嵌合されてねじ部材により離脱可能に締結されることにより、支持連結チャンネル板の各々は、対応する放射梁の上面に沿って延在するよう位置付けられ、
屋根板ユニットの各々は、相互に固着された一端部から所定角度の間隔をおいて延在する一対の側梁と、側梁間を延在してそれぞれ両端が固着される少なくとも１本の連結梁であって、上面が側梁の各々の上面と共通の平面上に位置付けられた連結梁と、側梁及び連結梁の上面を覆うよう固着された三角形の屋根板とを備え、側梁の各々は、中空角材又は角材から構成されかつ連結梁の下面から下方に突出した突出部を有するよう構成され、
屋根板ユニットの各々における側梁の各々の突出部が、相互に周方向に隣り合う屋根板支持枠体の各々の支持連結チャンネル板内に上から挿入されて相互に周方向に近い側に位置する片方の側フランジにねじ部材により離脱可能に締結されることにより、該屋根板支持枠体の各々間に屋根板ユニットが装着され、
該装着状態で、支持連結チャンネル板の各々内における屋根板ユニットの各々の側梁間には、所定の隙間が形成される、
ことを特徴とする組立式構造物。
【請求項３】
放射梁の各々の上端面は、先端部から基端部にわたって下方に傾斜しており、
中央支柱は横断面が円形又は多角形の管部材から形成され、中央支柱の上端には、中央に貫通穴が形成された環状板部材が固着され、環状板部材は、外周縁から貫通穴の内周縁に向かって下方に傾斜しており、
該貫通穴の内周縁は中央支柱の内周面よりも半径方向内側に位置付けられ、環状板部材の外周縁は中央支柱の外周面よりも半径方向外側に位置付けられ、
屋根板支持枠体の各々の支持連結チャンネル板及び屋根板ユニットの各々の中央支柱の中心側における一端は、環状板部材の、少なくとも外周縁よりも半径方向内側に位置付けられる、請求項２に記載の組立式構造物。
【請求項４】
直立する１本の中央支柱と、中央支柱の上端領域に配設された支持部にそれぞれ基端部がねじ部材により離脱可能に締結されて支持部から半径方向外方にかつ周方向に所定角度の間隔をおいて延び出すよう支持された８個の放射梁であって、平面から見て、半径方向先端間を結ぶ仮想直線が仮想４角形をなすよう各々の全長が設定された８個の放射梁と、該仮想４角形の対角線上に配置された４個の放射梁の各々に離脱可能に連結される屋根板支持枠体とを備え、放射梁の各々の上端面は、基端部から先端部にわたって下方に傾斜しており、
屋根板支持枠体の各々は、細長いウェブとウェブの両側から直立する一対の側フランジとからなる支持連結チャンネル板と、ウェブとウェブの両側から垂下する一対の側フランジとからなる複数の取付チャンネル板とを備えかつ、支持連結チャンネル板のウェブの下面に長手方向に間隔をおいて複数の取付チャンネル板のウェブの上面が重合・固着され、屋根板支持枠体の各々における取付チャンネル板の各々が対応する放射梁に上方から嵌合されてねじ部材により離脱可能に締結されることにより、支持連結チャンネル板の各々は、対応する放射梁の上面に沿って該放射梁の先端部から基端部よりも手前側の中間位置まで延在するよう配設され、平面から見て、支持連結チャンネル板の各々の該中間位置に存在する一端間を結ぶ仮想直線が他の仮想４角形をなすよう各々の該一端の位置が規定され、
該他の仮想４角形の対角線上に配置された４個の放射梁にそれぞれ締結された屋根板支持枠体において相互に周方向に隣り合う屋根板支持枠体の各々間には、それぞれ平面等脚台形を有する主屋根板ユニットであってそれぞれ主屋根板を含む主屋根板ユニットが架け渡されて離脱可能に連結され、
主屋根板ユニットの各々は、枠体と主屋根板とを備え、枠体は、一端から他端に向かって相互に設けられた間隔が徐々に拡大するよう延在する一対の側梁と、側梁の一端間を延在して両端がそれぞれ固着される短い連結梁及び側梁の他端間を延在して両端がそれぞれ固着される長い連結梁であって、上面が側梁の各々の上面と共通の平面上に位置付けられた短い連結梁及び長い連結梁とを備え、主屋根板の各々は、対応する枠体の側梁の各々及び該連結梁の各々の上面を覆うよう固着され、
側梁及び連結梁の各々は中空角材又は角材から構成されかつ側梁の各々は連結梁の各々の下面から下方に同じ長さ突出した突出部を有するよう構成され、
主屋根板ユニットの各々における側梁の各々の突出部が、相互に周方向に隣り合う該屋根板支持枠体の各々の支持連結チャンネル板内に上から挿入されて相互に周方向に近い側に位置する片方の側フランジにねじ部材により離脱可能に締結されることにより、該屋根板支持枠体の各々間に主屋根板ユニットが装着され、
該装着状態で、支持連結チャンネル板の各々内における主屋根板ユニットの各々の側梁間には、所定の隙間が形成され、
平面から見て、主屋根板ユニットの各々における側梁の一端間を延在する４個の短い連結梁の内側に形成された４角形の空間内に存在する放射梁の各々上には、平面４角形の輪郭を有する１個の中央屋根板ユニットが離脱自在に連結され、中央屋根板ユニットの周縁部は、主屋根板ユニットの各々における上端領域を上から覆うよう位置付けられる、
ことを特徴とする組立式構造物。
【請求項５】
中央支柱の上端領域に配設された、複数の放射梁の支持部は、中央支柱の上端部における外周面に周方向に所定角度の間隔を置いて固着された複数の上支持枠と、上支持枠の各々に対し、それぞれ中央支柱の軸線方向下方に等間隔をおいて中央支柱の外周面の同じ周方向位置に固着された複数の下支持枠と、中央支柱の外周面の、下支持枠の各々の下側に固着された下環状板部材とを備え、
上支持枠及び下支持枠の各々は、上下方向に延在するウェブとウェブの両側から直角にかつ相互に平行に延び出す一対の側フランジとからなるチャンネル板部材からなりかつ、ウェブの外面が中央支柱の外周面に当接されて固着され、中央支柱の軸線方向に間隔をおいて位置する上支持枠及び下支持枠の各対におけるチャンネル板部材の長手方向に延在する側フランジ間の中心線は、中央支柱の軸線と平行な共通の軸線上に位置付けられ、下環状板部材の上面は、下支持枠の各々のチャンネル形の下端開口を下から覆うよう位置付けられ、放射梁の各々の基端部は、上支持枠及び下支持枠の各対における一対の側フランジ間に挿入されてねじ部材により離脱可能に締結される、請求項１〜４のいずれか１項に記載の組立式構造物。
【請求項６】
直立する少なくとも４本の支柱と、支柱の各々の上端にそれぞれねじ部材により離脱可能に締結されることにより支持された屋根枠組立体とを備え、
屋根枠組立体は、中央に配置された中央支持枠体と、基端部が中央支持枠体にねじ部材により離脱可能に締結されて中央支持枠体から半径方向外方にかつ周方向に所定角度の間隔をおいて延び出すよう支持された複数の放射梁と、相互に周方向に隣り合う放射梁の先端部間を水平方向に延在して両端部が対応する放射梁にねじ部材により離脱可能に締結される外郭連結梁と、相互に周方向に隣り合う放射梁の中間部間を水平方向にかつ外郭連結梁と平行に延在して両端部が対応する放射梁に離脱可能に連結される中間連結梁とを備え、放射梁の各々の上端面は、基端部から先端部にわたって下方に傾斜しており、
支柱の各々は、直立する支柱本体と、支柱本体の上端に配設された支持部材とを備え、支持部材は、ウェブとウェブの両側から直立する一対の側フランジとからなるチャンネル形状をなしかつ、ウェブの外面が支柱の上端に当接されて固着され、屋根枠組立体は、支柱の各々に支持される放射梁の各々の基端部と先端部との間における中間位置が、対応する支柱の支持部材における一対の側フランジ間に挿入・支持されてねじ部材により離脱可能に締結されることにより、支柱の各々の上端に支持され、
放射梁の各々の、中間連結梁が連結される中間部、又は外郭連結梁が連結される先端部及び中間連結梁が連結される中間部、には支持連結部材が配設され、支持連結部材の各々は、ウェブとウェブの両側から垂下する一対の側フランジと側フランジの各々の下端から相互に離隔する方向に水平に延び出す支持フランジとからなるチャンネル板部と、チャンネル板部の支持フランジの各々の上面に固着されて該上面から直立する雌ねじ部材とを備えかつ、チャンネル板部が対応する放射梁に対し上方から嵌合されて固着され、
中間連結梁の各々の該両端部、又は外郭連結梁の各々及び中間連結梁の各々の該両端部、には、上下方向の軸線を有する取付穴が形成され、中間連結梁の各々の該両端部、又は外郭連結梁の各々及び中間連結梁の各々の該両端部は、取付穴の各々がそれぞれ対応する放射梁の支持連結部材における支持フランジの一方の雌ねじ部材に上方から嵌合されて該支持フランジの一方の上面に載置・支持されかつ上方から雄ねじ部材が対応する雌ねじ部材に螺合させられることにより該放射梁の該中間部、又は該先端部及び該中間部、に離脱可能に締結される、
ことを特徴とする組立式構造物。
【請求項７】
中央支持枠体は、１本の鉛直軸線回りに放射状に配列された複数のチャンネル板部を備え、チャンネル板部の各々は、上下方向に延在するウェブとウェブの両側から直角にかつ相互に平行に延び出す一対の側フランジとを備えかつ、ウェブの外面が該鉛直軸線に向けられかつ、一対の側フランジの先端が半径方向外方に向けられた状態で鉛直方向に直線状に延在するよう構成され、放射梁の各々の基端部は、支持枠の各々における一対の側フランジ間に挿入されてねじ部材により離脱可能に締結される、請求項６記載の組立式構造物。
【発明の詳細な説明】
【技術分野】
【０００１】
本発明は、例えば、東屋などの休憩所、喫煙所などに適用可能な組立式構造物に関する。
【背景技術】
【０００２】
下端部を地中に埋設した１本の支柱と、支柱の頂部に支持された屋根とを有する東屋は、例えば、特許文献１に開示されている。支柱はＨ形鋼から構成され、支柱の頂部近傍には軽量形鋼によって平面形状が四角形に作られた上支持枠と下支持枠とからなる骨材が溶着されている。そして、垂木が、支柱の頂部から上支持枠及び下支持枠へ向かって傾斜して延在するよう取り付けられ、垂木の上面に屋根板が取り付けられている。
【先行技術文献】
【特許文献】
【０００３】
【特許文献１】特開平０９−３０２９１１号公報
【発明の概要】
【発明が解決しようとする課題】
【０００４】
しかしながら、特許文献１に開示された上記東屋において、屋根の骨組を構成する上支持枠、下支持枠及び垂木のうち、上支持枠及び下支持枠は、それぞれ支柱の頂部近傍に各々の骨材を含め全て溶接により固着されている。その結果、設置現場において多数の溶接作業を行なう必要があるので、東屋を、容易かつ迅速に組み立て及び分解することができない、との解決すべき課題が存在する。
【０００５】
本発明の主目的は、設置現場において、容易かつ迅速に組み立て及び分解することを可能にする、新規な組立式構造物を提供することである。
【課題を解決するための手段】
【０００６】
本発明によれば、直立する１本の中央支柱と、中央支柱に支持された屋根枠とを備え、屋根枠は、中央支柱の上端領域に配設された支持部にそれぞれ基端部がねじ部材により離脱可能に締結されて支持部から半径方向外方にかつ周方向に所定角度の間隔をおいて延び出すよう支持された複数の放射梁と、相互に周方向に隣り合う放射梁の先端部間を水平方向に延在して両端部が対応する放射梁にねじ部材により離脱可能に締結される外郭連結梁、又は該外郭連結梁及び相互に周方向に隣り合う放射梁の中間部間を水平方向にかつ該外郭連結梁と平行に延在して両端部が対応する放射梁に離脱可能に連結される中間連結梁、とを備え、放射梁の各々は、平面から見て、半径方向先端間を結ぶ仮想直線が３角形以上の仮想多角形をなすよう各々の全長が設定され、放射梁の各々の、外郭連結梁が連結される先端部、又は中間連結梁が連結される中間部、又は外郭連結梁が連結される先端部及び中間連結梁が連結される中間部、には支持連結部材が配設され、支持連結部材の各々は、ウェブとウェブの両側から垂下する一対の側フランジと側フランジの各々の下端から相互に離隔する方向に水平に延び出す支持フランジとからなるチャンネル板部と、チャンネル板部の支持フランジの各々の上面に固着されて該上面から直立する雌ねじ部材とを備えかつ、チャンネル板部が対応する放射梁に対し上方から嵌合されて固着され、外郭連結梁の各々の該両端部、又は中間連結梁の各々の該両端部、又は外郭連結梁の各々及び中間連結梁の各々の該両端部、には、上下方向の軸線を有する取付穴が形成され、外郭連結梁の各々の該両端部、又は中間連結梁の各々の該両端部、又は外郭連結梁の各々及び中間連結梁の各々の該両端部は、取付穴の各々がそれぞれ対応する放射梁の支持連結部材における支持フランジの一方の雌ねじ部材に上方から嵌合されて該支持フランジの一方の上面に載置・支持されかつ上方から雄ねじ部材が対応する雌ねじ部材に螺合させられることにより該放射梁の該先端部、又は該中間部、又は該先端部及び該中間部、に離脱可能に締結される、ことを特徴とする組立式構造物、が提供される。
本発明によれば、直立する１本の中央支柱と、中央支柱の上端領域に配設された支持部にそれぞれ基端部がねじ部材により離脱可能に締結されて支持部から半径方向外方にかつ周方向に所定角度の間隔をおいて延び出すよう支持された複数の放射梁と、放射梁の各々に離脱可能に連結される屋根板支持枠体と、相互に周方向に隣り合う屋根板支持枠体の各々間に架け渡されて、それぞれ離脱可能に連結される屋根板ユニットとを備え、放射梁の各々は、平面から見て、半径方向先端間を結ぶ仮想直線が３角形以上の仮想多角形をなすよう各々の全長が設定され、屋根板支持枠体の各々は、細長いウェブとウェブの両側から直立する一対の側フランジとからなる支持連結チャンネル板と、ウェブとウェブの両側から垂下する一対の側フランジとからなる複数の取付チャンネル板とを備えかつ、支持連結チャンネル板のウェブの下面に長手方向に間隔をおいて複数の取付チャンネル板のウェブの上面が重合・固着され、屋根板支持枠体の各々における取付チャンネル板の各々が対応する放射梁に上方から嵌合されてねじ部材により離脱可能に締結されることにより、支持連結チャンネル板の各々は、対応する放射梁の上面に沿って延在するよう位置付けられ、屋根板ユニットの各々は、相互に固着された一端部から所定角度の間隔をおいて延在する一対の側梁と、側梁間を延在してそれぞれ両端が固着される少なくとも１本の連結梁であって、上面が側梁の各々の上面と共通の平面上に位置付けられた連結梁と、側梁及び連結梁の上面を覆うよう固着された三角形の屋根板とを備え、側梁の各々は、中空角材又は角材から構成されかつ連結梁の下面から下方に突出した突出部を有するよう構成され、屋根板ユニットの各々における側梁の各々の突出部が、相互に周方向に隣り合う屋根板支持枠体の各々の支持連結チャンネル板内に上から挿入されて相互に周方向に近い側に位置する片方の側フランジにねじ部材により離脱可能に締結されることにより、該屋根板支持枠体の各々間に屋根板ユニットが装着され、該装着状態で、支持連結チャンネル板の各々内における屋根板ユニットの各々の側梁間には、所定の隙間が形成される、ことを特徴とする組立式構造物、が提供される。
本発明によれば、直立する１本の中央支柱と、中央支柱の上端領域に配設された支持部にそれぞれ基端部がねじ部材により離脱可能に締結されて支持部から半径方向外方にかつ周方向に所定角度の間隔をおいて延び出すよう支持された８個の放射梁であって、平面から見て、半径方向先端間を結ぶ仮想直線が仮想４角形をなすよう各々の全長が設定された８個の放射梁と、該仮想４角形の対角線上に配置された４個の放射梁の各々に離脱可能に連結される屋根板支持枠体とを備え、放射梁の各々の上端面は、基端部から先端部にわたって下方に傾斜しており、屋根板支持枠体の各々は、細長いウェブとウェブの両側から直立する一対の側フランジとからなる支持連結チャンネル板と、ウェブとウェブの両側から垂下する一対の側フランジとからなる複数の取付チャンネル板とを備えかつ、支持連結チャンネル板のウェブの下面に長手方向に間隔をおいて複数の取付チャンネル板のウェブの上面が重合・固着され、屋根板支持枠体の各々における取付チャンネル板の各々が対応する放射梁に上方から嵌合されてねじ部材により離脱可能に締結されることにより、支持連結チャンネル板の各々は、対応する放射梁の上面に沿って延在するよう位置付けられ、相互に周方向に隣り合う屋根板支持枠体の各々間には、それぞれ屋根板を含む屋根板ユニットが架け渡されて離脱可能に連結され、屋根板ユニットの各々は、一端部から放射状に延在する一対の側梁と、側梁間を延在してそれぞれ固定される少なくとも１本の連結梁であって、上面が側梁の各々の上面と共通の平面上に位置付けられた連結梁と、側梁及び連結梁の上面を覆うよう固着された三角形の屋根板とを備え、側梁の各々は、中空角材又は角材から構成されかつ連結梁の下面から下方に同じ長さ突出した突出部を有するよう構成され、屋根板ユニットの各々における側梁の各々の突出部が、相互に周方向に隣り合う屋根板支持枠体の各々の支持連結チャンネル板内に上から挿入されて相互に周方向に近い側に位置する片方の側フランジにねじ部材により離脱可能に締結されることにより、該屋根板支持枠体の各々間に屋根板ユニットが装着され、該装着状態で、支持連結チャンネル板の各々内における屋根板ユニットの各々の側梁間には、所定の隙間が形成される、ことを特徴とする組立式構造物、が提供される。
放射梁の各々の上端面は、先端部から基端部にわたって下方に傾斜しており、中央支柱は横断面が円形又は多角形の管部材から形成され、中央支柱の上端には、中央に貫通穴が形成された環状板部材が固着され、環状板部材は、外周縁から貫通穴の内周縁に向かって下方に傾斜しており、該貫通穴の内周縁は中央支柱の内周面よりも半径方向内側に位置付けられ、環状板部材の外周縁は中央支柱の外周面よりも半径方向外側に位置付けられ、屋根板支持枠体の各々の支持連結チャンネル板及び屋根板ユニットの各々の中央支柱の中心側における一端は、環状板部材の、少なくとも外周縁よりも半径方向内側に位置付けられる、ことが好ましい。
本発明によれば、直立する１本の中央支柱と、中央支柱の上端領域に配設された支持部にそれぞれ基端部がねじ部材により離脱可能に締結されて支持部から半径方向外方にかつ周方向に所定角度の間隔をおいて延び出すよう支持された８個の放射梁であって、平面から見て、半径方向先端間を結ぶ仮想直線が仮想４角形をなすよう各々の全長が設定された８個の放射梁と、該仮想４角形の対角線上に配置された４個の放射梁の各々に離脱可能に連結される屋根板支持枠体とを備え、放射梁の各々の上端面は、基端部から先端部にわたって下方に傾斜しており、屋根板支持枠体の各々は、細長いウェブとウェブの両側から直立する一対の側フランジとからなる支持連結チャンネル板と、ウェブとウェブの両側から垂下する一対の側フランジとからなる複数の取付チャンネル板とを備えかつ、支持連結チャンネル板のウェブの下面に長手方向に間隔をおいて複数の取付チャンネル板のウェブの上面が重合・固着され、屋根板支持枠体の各々における取付チャンネル板の各々が対応する放射梁に上方から嵌合されてねじ部材により離脱可能に締結されることにより、支持連結チャンネル板の各々は、対応する放射梁の上面に沿って該放射梁の先端部から基端部よりも手前側の中間位置まで延在するよう配設され、平面から見て、支持連結チャンネル板の各々の該中間位置に存在する一端間を結ぶ仮想直線が他の仮想４角形をなすよう各々の該一端の位置が規定され、該他の仮想４角形の対角線上に配置された４個の放射梁にそれぞれ締結された屋根板支持枠体において相互に周方向に隣り合う屋根板支持枠体の各々間には、それぞれ平面等脚台形を有する主屋根板ユニットであってそれぞれ主屋根板を含む主屋根板ユニットが架け渡されて離脱可能に連結され、主屋根板ユニットの各々は、枠体と主屋根板とを備え、枠体は、一端から他端に向かって相互に設けられた間隔が徐々に拡大するよう延在する一対の側梁と、側梁の一端間を延在して両端がそれぞれ固着される短い連結梁及び側梁の他端間を延在して両端がそれぞれ固着される長い連結梁であって、上面が側梁の各々の上面と共通の平面上に位置付けられた短い連結梁及び長い連結梁とを備え、主屋根板の各々は、対応する枠体の側梁の各々及び該連結梁の各々の上面を覆うよう固着され、側梁及び連結梁の各々は中空角材又は角材から構成されかつ側梁の各々は連結梁の各々の下面から下方に同じ長さ突出した突出部を有するよう構成され、主屋根板ユニットの各々における側梁の各々の突出部が、相互に周方向に隣り合う該屋根板支持枠体の各々の支持連結チャンネル板内に上から挿入されて相互に周方向に近い側に位置する片方の側フランジにねじ部材により離脱可能に締結されることにより、該屋根板支持枠体の各々間に主屋根板ユニットが装着され、該装着状態で、支持連結チャンネル板の各々内における主屋根板ユニットの各々の側梁間には、所定の隙間が形成され、平面から見て、主屋根板ユニットの各々における側梁の一端間を延在する４個の短い連結梁の内側に形成された４角形の空間内に存在する放射梁の各々上には、平面４角形の輪郭を有する１個の中央屋根板ユニットが離脱自在に連結され、中央屋根板ユニットの周縁部は、主屋根板ユニットの各々における上端領域を上から覆うよう位置付けられる、ことを特徴とする組立式構造物、が提供される。
該他の仮想４角形の対角線上に配置された４個の放射梁の各々の中間に位置する放射梁の各々にも該屋根板支持枠体が離脱自在に連結され、該屋根板支持枠体の各々の支持連結チャンネル板は、対応する放射梁の上面に沿って該放射梁の先端部から、該他の仮想４角形の一辺が位置する該中間位置まで延在するよう配設され、主屋根板ユニットの各々における短い連結梁と長い連結梁との長手方向中央間を延在して両端がそれぞれ固着される中央補強梁が備えられ、中央補強梁の上面は、側梁及び該連結梁の各々の上面と共通の平面上に位置付けられ、中央補強梁の各々は中空角材又は角材から構成されかつ該連結梁の各々の下面から下方に側梁の各々と同じ長さ突出した突出部を有するよう構成され、主屋根板ユニットの各々における中央補強梁の突出部は、相互に周方向に隣り合う該屋根板支持枠体の各々の中間に位置する屋根板支持枠体の支持連結チャンネル板内に上から挿入されて側フランジの各々にねじ部材により離脱可能に締結される、ことが好ましい。
中央屋根板ユニットは、中央支柱に支持されて該４角形の空間内に存在する放射梁の各々に対応して、中心部から半径方向外方に向かって下方に傾斜して延び出す８個の放射梁であって中空角材又は角材から構成された８個の放射梁と、放射梁の各々の先端が固着されかつ該４角形の空間の内側周縁に沿って延在する４角形の外郭梁と、放射梁の各々の上面を覆うよう複数の放射梁に固着された中央屋根板とを備え、中央屋根板ユニットにおける、少なくとも該４角形の対角線上を延在する放射梁には、水平方向両側からそれぞれ下方に延び出す一対の取付フランジが長手方向に間隔をおいて複数対固着され、中央屋根板ユニットの該放射梁に固着された該取付フランジの各対が、中央支柱に支持されて該４角形の空間内に存在する放射梁のうち対応する放射梁に上から嵌合されてねじ部材により離脱可能に締結される、ことが好ましい。
本発明によれば、直立する１本の中央支柱と、中央支柱の上端領域に配設された支持部にそれぞれ基端部がねじ部材により離脱可能に締結されて支持部から半径方向外方にかつ周方向に等角度の間隔をおいて延び出すよう支持された複数の放射梁であって、平面から見て、半径方向先端間を結ぶ仮想直線が５角形以上の仮想正多角形をなすよう各々の全長が等しく設定された複数の放射梁と、放射梁の各々に離脱可能に連結される屋根板支持枠体とを備え、放射梁の各々の上端面は、基端部から先端部にわたって下方に傾斜しており、屋根板支持枠体の各々は、細長いウェブとウェブの両側から直立する一対の側フランジとからなる支持連結チャンネル板と、ウェブとウェブの両側から垂下する一対の側フランジとからなる複数の取付チャンネル板とを備えかつ、支持連結チャンネル板のウェブの下面に長手方向に間隔をおいて複数の取付チャンネル板のウェブの上面が重合・固着され、屋根板支持枠体の各々における取付チャンネル板の各々が対応する放射梁に上方から嵌合されてねじ部材により離脱可能に締結されることにより、支持連結チャンネル板の各々は、対応する放射梁の上面に沿って該放射梁の先端部から基端部よりも手前側の中間位置まで延在するよう配設され、平面から見て、支持連結チャンネル板の各々の該中間位置に存在する一端間を結ぶ仮想直線が５角形以上の他の仮想正多角形であって前記仮想正多角形と同じ数の他の仮想正多角形をなすよう各々の該一端の位置が規定され、相互に周方向に隣り合う屋根板支持枠体の各々間には、それぞれ平面等脚台形を有する主屋根板ユニットであってそれぞれ主屋根板を含む主屋根板ユニットが架け渡されて離脱可能に連結され、主屋根板ユニットの各々は、等脚台形の枠体と、枠体の上面を覆うよう固着された等脚台形の主屋根板とを備え、枠体は、相互に固着された一端から他端に向かって放射梁の各々間の角度と同じ角度をもって同じ長さ延在する一対の側梁と、側梁の各々の他端間を延在して両端がそれぞれ固着される連結梁であって、上面が側梁の各々の上面と共通の平面上に位置付けられた連結梁とを備え、側梁及び連結梁の各々は中空角材又は角材から構成されかつ側梁の各々は該連結梁の下面から下方に同じ長さ突出した突出部を有するよう構成され、主屋根板ユニットの各々における側梁の各々の突出部が、相互に周方向に隣り合う該屋根板支持枠体の各々の支持連結チャンネル板内に上から挿入されて相互に周方向に近い側に位置する片方の側フランジにねじ部材により離脱可能に締結されることにより、該屋根板支持枠体の各々間に主屋根板ユニットが装着され、該装着状態で、支持連結チャンネル板の各々内における主屋根板ユニットの各々の側梁間には、所定の隙間が形成され、平面から見て、主屋根板ユニットの各々における側梁の一端間を延在する該他の仮想正多角形の数と同じ数の連結梁の内側に形成された正多角形の空間内に存在する放射梁の各々上には、平面から見て該正多角形の輪郭を有する１個の中央屋根板ユニットが離脱自在に連結され、中央屋根板ユニットの周縁部は、主屋根板ユニットの各々における上端領域を上から覆うよう位置付けられる、ことを特徴とする組立式構造物、が提供される。
中央屋根板ユニットは、中央支柱に支持されて該多角形の空間内に存在する放射梁の各々に対応して、中心部から半径方向外方に向かって下方に傾斜して延び出す複数の放射梁であって中空角材又は角材から構成された複数の放射梁と、放射梁の各々の先端が固着されかつ該多角形の空間の内側周縁に沿って延在する多角形の外郭梁と、放射梁の各々の上面を覆うよう複数の放射梁に固着された中央屋根板とを備え、中央屋根板ユニットにおける放射梁には、水平方向両側からそれぞれ下方に延び出す一対の取付フランジが長手方向に間隔をおいて複数対固着され、中央屋根板ユニットの該放射梁に固着された該取付フランジの各対が、それぞれ中央支柱に支持されて該多角形の空間内に存在する放射梁の各々に上から嵌合されてねじ部材により離脱可能に締結される、ことが好ましい。
中央支柱の上端領域に配設された、複数の放射梁の支持部は、中央支柱の上端部における外周面に周方向に所定角度の間隔を置いて固着された複数の上支持枠と、上支持枠の各々に対し、それぞれ中央支柱の軸線方向下方に等間隔をおいて中央支柱の外周面の同じ周方向位置に固着された複数の下支持枠と、中央支柱の外周面の、下支持枠の各々の下側に固着された下環状板部材とを備え、上支持枠及び下支持枠の各々は、上下方向に延在するウェブとウェブの両側から直角にかつ相互に平行に延び出す一対の側フランジとからなるチャンネル板部材からなりかつ、ウェブの外面が中央支柱の外周面に当接されて固着され、中央支柱の軸線方向に間隔をおいて位置する上支持枠及び下支持枠の各対におけるチャンネル板部材の長手方向に延在する側フランジ間の中心線は、中央支柱の軸線と平行な共通の軸線上に位置付けられ、下環状板部材の上面は、下支持枠の各々のチャンネル形の下端開口を下から覆うよう位置付けられ、放射梁の各々の基端部は、上支持枠及び下支持枠の各対における一対の側フランジ間に挿入されてねじ部材により離脱可能に締結される、ことが好ましい。
本発明によれば、直立する少なくとも４本の支柱と、支柱の各々の上端にそれぞれねじ部材により離脱可能に締結されることにより支持された屋根枠組立体とを備え、屋根枠組立体は、中央に配置された中央支持枠体と、基端部が中央支持枠体にねじ部材により離脱可能に締結されて中央支持枠体から半径方向外方にかつ周方向に所定角度の間隔をおいて延び出すよう支持された複数の放射梁と、相互に周方向に隣り合う放射梁の先端部間を水平方向に延在して両端部が対応する放射梁にねじ部材により離脱可能に締結される外郭連結梁と、相互に周方向に隣り合う放射梁の中間部間を水平方向にかつ外郭連結梁と平行に延在して両端部が対応する放射梁に離脱可能に連結される中間連結梁とを備え、放射梁の各々の上端面は、基端部から先端部にわたって下方に傾斜しており、支柱の各々は、直立する支柱本体と、支柱本体の上端に配設された支持部材とを備え、支持部材は、ウェブとウェブの両側から直立する一対の側フランジとからなるチャンネル形状をなしかつ、ウェブの外面が支柱の上端に当接されて固着され、屋根枠組立体は、支柱の各々に支持される放射梁の各々の基端部と先端部との間における中間位置が、対応する支柱の支持部材における一対の側フランジ間に挿入・支持されてねじ部材により離脱可能に締結されることにより、支柱の各々の上端に支持され、放射梁の各々の、中間連結梁が連結される中間部、又は外郭連結梁が連結される先端部及び中間連結梁が連結される中間部、には支持連結部材が配設され、支持連結部材の各々は、ウェブとウェブの両側から垂下する一対の側フランジと側フランジの各々の下端から相互に離隔する方向に水平に延び出す支持フランジとからなるチャンネル板部と、チャンネル板部の支持フランジの各々の上面に固着されて該上面から直立する雌ねじ部材とを備えかつ、チャンネル板部が対応する放射梁に対し上方から嵌合されて固着され、中間連結梁の各々の該両端部、又は外郭連結梁の各々及び中間連結梁の各々の該両端部、には、上下方向の軸線を有する取付穴が形成され、中間連結梁の各々の該両端部、又は外郭連結梁の各々及び中間連結梁の各々の該両端部は、取付穴の各々がそれぞれ対応する放射梁の支持連結部材における支持フランジの一方の雌ねじ部材に上方から嵌合されて該支持フランジの一方の上面に載置・支持されかつ上方から雄ねじ部材が対応する雌ねじ部材に螺合させられることにより該放射梁の該中間部、又は該先端部及び該中間部、に離脱可能に締結される、ことを特徴とする組立式構造物、が提供される。
中央支持枠体は、１本の鉛直軸線回りに放射状に配列された複数のチャンネル板部を備え、チャンネル板部の各々は、上下方向に延在するウェブとウェブの両側から直角にかつ相互に平行に延び出す一対の側フランジとを備えかつ、ウェブの外面が該鉛直軸線に向けられかつ、一対の側フランジの先端が半径方向外方に向けられた状態で鉛直方向に直線状に延在するよう構成され、放射梁の各々の基端部は、支持枠の各々における一対の側フランジ間に挿入されてねじ部材により離脱可能に締結される、ことが好ましい。
中央支柱又は少なくとも４本の支柱は、支持基板と、支持基板から直立する支柱本体とを備え、支持基板が、設置面上にねじ部材により離脱可能に締結される、又は少なくとも１個のベース部材にねじ部材により離脱可能に締結されて設置面上に載置される、又は床枠組立体における中央部又は少なくとも４つの角部にねじ部材により離脱可能に締結される、ことが好ましい。
【発明の効果】
【０００７】
本発明に係る組立式構造物によれば、設置現場において、容易かつ迅速に組み立て及び分解することができる。
【図面の簡単な説明】
【０００８】
【図１】本発明に従って構成された組立式構造物の実施形態の構成を概略的に示す図であって、（ａ）は平面図、（ｂ）は正面図、（ｃ）は主として床枠組立体の平面図である。
【図２】図１に示す組立式構造物を具体的に示す拡大斜視概略図である。
【図３】図１（ｃ）に示す床枠組立体を拡大して詳細に示す平面図である。
【図４】図３に示す床枠組立体を構成する床枠体の一方の拡大図であって、（ａ）は平面図、（ｂ）は（ａ）を右から見た側面図、（ｃ）は（ａ）を下から見た他の側面図である。
【図５】図３に示す床枠組立体に含まれるジャッキ設置用枠体にジャッキ部材が装着された状態を示す拡大正面図である。
【図６】図３のＡ部拡大図である。
【図７】図２に示す組立式構造物の中央支柱を拡大して示す正面図である。
【図８】図９のＢ−Ｂ矢視拡大断面図である。
【図９】図７に示す中央支柱の上端領域を拡大して示す正面図である。
【図１０】図２に示す組立式構造物の屋根枠を支持部と共に示す拡大平面図であって、一部を省略して示す拡大平面図である。
【図１１】図２に示す組立式構造物における、床枠組立体と、中央支柱と、長い放射梁及び短い放射梁とを示す拡大正面図である。
【図１２】図１１に示す短い放射梁の構成を示す拡大図であって、（ａ）は平面図、（ｂ）は正面図、（ｃ）は（ｂ）の左側面図である。
【図１３】図２に示す組立式構造物に含まれる長い放射梁の構成を示す拡大正面図である。
【図１４】図１０のＣ−Ｃ矢視拡大断面図であって、（ａ）は分解図、（ｂ）は組立図である。
【図１５】図１０のＤ部拡大平面図である。
【図１６】図１０のＥ部拡大平面図である。
【図１７】図１０に示す屋根枠における外郭連結梁の構成を示す拡大図であって、（ａ）は一部を省略した平面図、（ｂ）は一部を省略した正面図、（ｃ）は（ｂ）の左側面図である。
【図１８】図１０のＦ部を分解して示す拡大平面図である。
【図１９】図１０のＧ部を分解して示す拡大平面図である。
【図２０】図１０に示す屋根枠における中間連結梁の構成を示す拡大図であって、（ａ）は一部省略平面図、（ｂ）は（ａ）を下方から見た正面図であって、一部省略正面図である。
【図２１】図２に示す組立式構造物に、屋根（テント）、フロア、フェンスなどを装着した状態を示す斜視図であって、一部を省略して示す斜視概略図である。
【図２２】本発明に従って構成された組立式構造物の他の実施形態の平面図であって、一部を省略して示す平面図。
【図２３】図２２に示す組立式構造物の床枠組立体と、中央支柱と、一対の短い放射梁と、中央屋根板ユニットとを分解して示す拡大正面図である。
【図２４】図２３に示す構成部材の組立図である。
【図２５】図２３のＨ−Ｈ矢視拡大断面図である。
【図２６】図２４のＩ−Ｉ矢視拡大断面図である。
【図２７】図２２に示す組立式構造物に取り付けられた主屋根板ユニットの１つを、屋根板を取り除いて示す平面図である。
【図２８】図２２のＪ−Ｊ矢視拡大断面図である。
【図２９】図２２のＫ−Ｋ矢視拡大断面図である。
【図３０】図２３に示す中央屋根板ユニットと、中央屋根板ユニットの中央屋根板を取り除いた放射梁及び外郭梁とを、相互の位置関係を対応させて示す図である。
【図３１】本発明に従って構成された組立式構造物の更に他の実施形態の構成を概略的に示す図であって、（ａ）は平面図、（ｂ）は正面図である。
【図３２】図３１に示す組立式構造物を具体的に示す斜視概略図である。
【図３３】図３２に示す組立式構造物の屋根枠の平面図であって、一部を省略して示す平面図である。
【図３４】図３２に示す組立式構造物の床枠組立体と、中央支柱と、一対の放射梁とを示す正面図である。
【図３５】図３２に示す組立式構造物に、屋根（テント）、フロア、フェンスなどを装着した状態を示す斜視概略図であって、一部を省略して示す斜視概略図である。
【図３６】本発明に従って構成された組立式構造物の更に他の実施形態の構成を概略的に示す正面図であって、基礎と、中央支柱と、一対の放射梁とを示す正面図である。
【図３７】図３６に示す組立式構造物の屋根枠の平面図であって、一部を省略して示す平面図である。
【図３８】図３７のＬ部拡大断面図であって、（ａ）は分解図、（ｂ）は組立図である。
【図３９】図３７に示す屋根枠における外郭連結梁の１つを示す図であって、（ａ）は一部を省略した平面図、（ｂ）は、（ａ）を下方から見た正面図である。
【図４０】本発明に従って構成された組立式構造物の更に他の実施形態を示す図であって、床枠組立体と、中央支柱と、一対の放射梁と、屋根板支持枠体と、屋根板ユニットとを分解して示す正面図である。
【図４１】図４０に示す構成部材の組立図である。
【図４２】図４１に示す放射梁、屋根板支持枠体及び屋根板ユニットの構成及び相互の組立状態を説明するためにそれらの一部を注出して示す斜視概略図であって、一部を分解しかつ破断して示す斜視概略図である。
【図４３】本発明に従って構成された組立式構造物の更に他の実施形態を示す斜視概略図であって、一部を分解して示す斜視概略図である。
【図４４】図４３に示す組立式構造物の組立状態の平面図であって、一部を省略して示す平面図である。
【図４５】図４４に示す組立式構造物に含まれる屋根板ユニットの１つを、屋根板を取り外して示す拡大平面図である。
【図４６】図４３に示す組立式構造物の床枠組立体と、中央支柱と、一対の放射梁と、屋根板支持枠体と、屋根板ユニットとを分解して示す正面図である。
【図４７】図４６に示す構成部材の組立図である。
【図４８】図４７のＭ部を拡大しかつ一部を断面で示す構成概略図である。
【図４９】本発明に従って構成された組立式構造物の更に他の実施形態の構成を概略的に示す図であって、（ａ）は平面図、（ｂ）は正面図、（ｃ）は屋根枠組立体を除いた平面図である。
【図５０】図４９に示す組立式構造物を具体的に示す斜視概略図である。
【図５１】図４９（ｃ）に示す床枠組立体を拡大して詳細に示す平面図である。
【図５２】図５０に示す組立式構造物の支柱と、ジャッキ設置用枠体と、ジャッキ部材とを分解して示す拡大図であって、（ａ）は一部を省略して示す支柱及びボルトの正面図、（ｂ）はジャッキ設置用枠体の正面図、（ｃ）はジャッキ部材の正面図である。
【図５３】図５０に示す組立式構造物の屋根枠組立体の平面図であって、一部を省略して示す平面図である。
【図５４】図５０に示す組立式構造物の屋根枠組立体における中央支持枠体の構成を示す拡大図であって、（ａ）は平面図、（ｂ）は正面図である。
【図５５】図５４（ａ）に示す中央支持枠体に放射梁の基端部が締結された状態を示す平面図である。
【図５６】図５０に示す組立式構造物に、屋根（テント）、フロア、フェンスなどを装着した状態を示す斜視概略図であって、一部を省略して示す斜視概略図である。
【発明を実施するための形態】
【０００９】
以下、本発明に従って構成された組立式構造物の実施の形態について説明する。
【００１０】
図１〜図２１には、本発明に従って構成された組立式構造物の一実施形態が示されている。図１及び図２に示すように、組立式構造物は、床枠組立体２と、中央支柱４と、屋根枠６とを備えている。床枠組立体２は、図３に示すように、相互に共通の構成部材からなる一対の床枠体８と、床枠体８の各々間に配置されて複数の連結枠を構成する、それぞれ複数の連結枠部材１０及びジャッキ設置用枠体１２とを備えている。
【００１１】
図４を参照して、床枠体８は、一側枠１４、他側枠１６、一端枠１８及び他端枠２０からなる矩形状の外枠２２を備えている。外枠２２は、少なくとも一側枠１４と、一端枠１８及び他端枠２０とが交わる一対の角部に、実施形態においては更に、一側枠１４における該角部間の中央位置にも、ジャッキ設置用枠体１２を備えている。相互に共通の構成部材からなるジャッキ設置用枠体１２は、図５に示すように、中空角材（鋼管）からなる本体１２Ａと、底板１３とを備えている。底板１３は、本体１２Ａの横断面と同じ矩形輪郭の鋼板から構成され、中央部には雌ねじ穴１３Ａが形成されている。底板１３は、本体１２Ａの下端に重合・溶着される。なお、本明細書において「溶着」とは、溶接により固着されることをいう。外枠２２の一側枠１４と他側枠１６との間には、複数の中間枠２４が配設されている。他側枠１６の中央部に直交する中間枠２４と、該中間枠２４を挟んで対向する二つの中間枠２４との間には、それぞれ補助枠２６が他側枠１６に間隔をおいて平行に延在するよう配設されている。一側枠１４、他側枠１６、一端枠１８、他端枠２０、中間枠２４及び補助枠２６は、相互に実質的に同一の横断面形状を有するチャンネル鋼板（ウェブと一対の側フランジからなる周知のチャンネル鋼板）から形成され、それぞれ側フランジの一方が上面に向けられて配置されている。床枠体８の上面は、共通の平面上に存在するよう位置付けられ、下面は、上記平面に平行な他の共通の平面上に存在するよう位置付けられる。
【００１２】
補助枠２６の各々の上側の側フランジと、中央部の中間枠２４において補助枠２６の各々に挟まれた上側の側フランジと、補助枠２６の各々に対向する他側枠１６における上側の側フランジには、それぞれ取付穴２８が形成されかつ該側フランジの各々の下面には、取付穴２８と共通の軸線を有するナット（不図示）が溶着されている。
【００１３】
相互に共通の構成部材からなる連結枠部材１０は、図６に示されているように中空角材（鋼管）から形成されている。連結枠部材１０の各々の本体１０Ａを構成する中空角材は、ジャッキ設置用枠体１２の本体１２Ａを構成する中空角材と、実質的に同一の横断面形状を有している。このような構成は、共通の中空角材（鋼管）の利用を可能にするので、コストダウンに寄与する。連結枠部材１０の各々における軸方向の全長（上端及び下端間の長さ）は、ジャッキ設置用枠体１２の各々の全長（本体１２Ａの上端と底板１３の下面との間の長さ）と同じである。連結枠部材１０の各々と共に連結枠を構成するジャッキ設置用枠体１２の各々は、床枠体８のジャッキ設置用枠体１２と共通の構成部材を有している。このような構成もコストダウンに寄与する。
【００１４】
図３及び図６を参照して、床枠組立体２は、床枠体８の各々の他側枠１６間に配置されたそれぞれ複数の、連結枠部材１０及びジャッキ設置用枠体１２の本体１０Ａ及び１２Ａ（図５）と、該他側枠１６とがねじ部材である複数のボルト＆ナット３０により離脱可能に締結されることにより一体に構成される。床枠組立体２の上面は実質的に共通の平面上に位置付けられる。
【００１５】
上記したとおり、本発明に係る床枠組立体２においては、相互に共通の構成部材を有しているので、コストダウンに寄与する。また、床枠組立体２は、一対の床枠体８を、それぞれ複数の連結枠部材１０及びジャッキ設置用枠体１２を介してボルト＆ナット３０により離脱自在に締結することにより構成されるので、設置現場において、容易かつ迅速に組み立て及び分解することを可能にするとともにコストダウンに寄与する。
【００１６】
図２、図３及び図５を参照して、床枠組立体２は、離脱可能に装着された複数のジャッキ部材４０の後述する載置基板４２を介して載置面上に載置される。相互に共通の構成部材からなるジャッキ部材４０の各々は、載置面上に載置される載置基板４２と、載置基板４２に固着されかつ載置基板４２から直立する雄ねじ部材であるボルト４４とを備えている。ボルト４４は、その頭部の頂面が載置基板４２の片面に当接された状態で溶着されている。ジャッキ部材４０の各々は、ボルト４４がそれぞれジャッキ設置用枠体１２の底板１３の雌ねじ穴１３Ａに下方からねじ係合されることによりジャッキ設置用枠体１２の各々に回転可能に設置される。
【００１７】
他方、床枠組立体２を、ジャッキ部材４０を介さないで設置面にねじ部材により離脱可能に締結する更に他の実施形態もある。この実施形態においては、例えば、床枠組立体２の上記ジャッキ設置用枠体１２に代えて、図示しない固定用枠体を配設する構成が考えられる。固定用枠体の実施形態としては、例えば、ジャッキ設置用枠体１２（図５）の底板１３の中央部に形成された雌ねじ穴１３Ａに代えて、設置面に固定するためのねじ部材であるボルトが挿入される取付穴を形成し、その他の構成を実質的に同一とする構成が考えられる。この実施形態においては、固定用枠体の各々が載置される位置に、例えばコンクリート製の基礎を設置し、該基礎の各々に埋設された袋ナットに固定用枠体の底板をボルトにより離脱自在に締結する。なお、載置面が水平であるならば、床枠組立体２を載置面上に直接載置する更に他の実施形態もある。この実施形態において、ジャッキ設置用枠体１２を全て連結枠部材１０に置き換える構成、あるいは、連結枠の全てを連結枠部材１０により構成しかつ、床枠体８の各々のジャッキ設置用枠体１２を全て除去する構成、などが考えられる。なお、以上述べた他の実施形態は、図４９〜図５６を参照して後述する本発明の更に他の実施形態においても同様に適用可能である。
【００１８】
図２及び図７に示されているように、中央支柱４は、支持基板４６と、支持基板４６から直立する支柱本体４８とを備えている。支持基板４６は、正方形の鋼板から形成され、周縁部には複数の取付穴４６Ａ（図７において４本の中心線のみで図示）が形成されている。支柱本体４８は円形横断面を有する鋼管から形成されている。中央支柱４は、支持基板４６の取付穴４６Ａが、床枠組立体２（図３）の中央部の対応する位置に配設された取付穴２８及び図示しないナットに整合するよう位置付けられた状態で、ねじ部材である図示しないボルトにより離脱可能に締結されることにより、床枠組立体２の中央部から直立するよう配設される。
【００１９】
図１、図２及び図１０に示されているように、屋根枠６は、それぞれ複数の、放射梁５０及び５２と、外郭連結梁５４と、中間連結梁５６及び５８とを備えている。
【００２０】
図７〜図９を参照して、中央支柱４の支柱本体４８における上端領域に配設された、放射梁５０及び５２の支持部４８Ｓは、それぞれ複数の上支持枠６０及び下支持枠６２と、１個の下環状板部材６４とを備えている。上支持枠６０は、中央支柱４の上端部における外周面に周方向に所定角度の間隔（実施形態では等角度の間隔）を置いて固着されている。相互に共通の構成部材からなる上支持枠６０の各々は、一定の幅をもって上下方向に直線状に延在するウェブ６０Ａと、ウェブ６０Ａの両側から直角にかつ相互に平行に同じ長さ延び出す一対の側フランジ６０Ｂとからなるチャンネル板部材（鋼板）から構成されている。側フランジ６０Ｂの各々には、上下方向に間隔をおいて２個の取付穴６０Ｄが形成されている。上支持枠６０の各々は、ウェブ６０Ａの外面が支柱本体４８Ｓ外周面に当接されて溶着される。
【００２１】
下支持枠６２の各々は、上支持枠６０と共通の構成部材からなるので、下支持枠６２の構成部分に、上支持枠６０の構成部分に対応する符号を付し、説明は省略する。下支持枠６２の各々は、上支持枠６０の各々に対し、それぞれ中央支柱４の軸線方向下方に等間隔をおいて支柱本体４８Ｓの外周面の同じ周方向位置にウェブ６２Ａの外面が当接されて溶着されている。周方向の同じ位置に存在する上支持枠６０及び下支持枠６２の各対における側フランジ６０Ｂ及び側フランジ６２Ｂの各々間の中心線は、中央支柱４の軸線と平行な共通の軸線上に位置付けられる。
【００２２】
鋼板製の円板からなる下環状板部材６４は、中央に同心の貫通穴（不図示）が形成されかつ、該貫通穴が支柱本体４８に嵌合され、支柱本体４８の外周面の、下支持枠６２の各々の下側に溶着される。この固着状態で下環状板部材６４の上面は、下支持枠６２の各々におけるチャンネル形の下端開口を下から覆うよう位置付けられる。なお、上支持枠６０の各々の上端は、支柱本体４８の軸線に直交する支柱本体４８の上端と一致する一つの平面上に位置付けられ、該上端の各々上には上環状板部材６６が溶着されている。鋼板製の円板からなる上環状板部材６６の下面は、支柱本体４８の上端及び上支持枠６０の各々におけるチャンネル形の上端開口を上から覆うよう位置付けられる。支柱本体４８の軸方向に見て、下支持枠６２の各々における側フランジ６２Ｂの各々の先端は、ほぼ、下環状板部材６４の円形周縁上に位置付けられ、上支持枠６０の各々における側フランジ６０Ｂの各々の先端は、ほぼ、上環状板部材６６の円形周縁上に位置付けられる。
【００２３】
図１及び図１０に示されているように、放射梁５０及び５２は、中央支柱４の支持部４８Ｓから半径方向外方にかつ周方向に所定角度の間隔（実施形態においては４５°の等角度間隔）をおいて延び出すよう支持部４８Ｓに離脱可能に支持される。放射梁５０及び５２はまた、平面から見て、半径方向先端間を結ぶ仮想直線が仮想４角形をなすよう各々の全長が設定されている。該仮想４角形の対角線上に配置された４個の放射梁５０は、長い放射梁５０を構成し、長い放射梁５０の各々間における中央にそれぞれ位置する合計４個の放射梁５２の各々は短い放射梁５２を構成する。
【００２４】
図１２を参照して、相互に共通の構成部材からなる短い放射梁５２は、相互に間隔をおいて鉛直方向に平行に延在する基端枠５２Ａ及び先端枠５２Ｂと、基端枠５２Ａ及び先端枠５２Ｂの上端間を延在する上端枠５２Ｃと、基端枠５２Ａ及び先端枠５２Ｂの下端間を延在する下端枠５２Ｄとを備えている。基端枠５２Ａは先端枠５２Ｂよりも長く、下端枠５２Ｄは水平に延び、上端枠５２Ｃは、先端枠５２Ｂに向かって下方に傾斜している。上端枠５２Ｃと下端枠５２Ｄとの間には、それぞれ２本の補強枠５２Ｅ及びブレース５２Ｆも配設されている。これらの各枠部材は全て鋼製の中空角材から構成され、相互に溶着されている。短い放射梁５２の基端部には４個の取付穴５２Ｇ（上支持枠６０及び下支持枠６２の各々の取付穴６０Ｄ及び６２Ｄに対応）が形成され、短い放射梁５２の先端部には２個の取付穴５２Ｈが形成されている。長い放射梁５０を示す図１３と短い放射梁５２を示す図１２とを比較することにより容易に理解されるように、長い放射梁５０は、短い放射梁５２と比較して長さは相違するが全体の構成は実質的に同じであるので、長い放射梁５０の構成部材に、短い放射梁５２の構成部材に対応する符号を付し、説明は省略する。
【００２５】
図７〜図１０を参照して、放射梁５０及び５２の各々の基端部は、中央支柱４の上支持枠６０及び下支持枠６２の各対における一対の側フランジ６０Ｂ及び６２Ｂの各々間に挿入され、ねじ部材であるボルト＆ナット６５（図１０）により離脱可能に締結される。放射梁５０及び５２の各々の上端面（上端枠５０Ｃ及び５２Ｃの各々の上端面）は、基端部から先端部にわたって下方に傾斜し、下端面（下端枠５０Ｄ及び５２Ｄの各々の下端面）は、基端部から先端部にわたって水平に延在する。図１１には、長短の放射梁５０及び５２が、中央支柱４の上支持枠６０及び下支持枠６２に支持された状態が図示されている。
【００２６】
下環状板部材６４は、放射梁５０及び５２を中央支柱４の上支持枠６０及び下支持枠６２に支持するに際し、放射梁５０及び５２の基端部を仮支持することができるので、放射梁５０及び５２の、上支持枠６０及び下支持枠６２の各々への取り付け作業の容易化及び迅速化に寄与するとともに、下支持枠６２の各々を補強する。他方、上環状板部材６６は、支柱本体４８内への雨水の流入及び上支持枠６０の各々の上方から下方への雨水の流入を阻止するとともに、上支持枠６０の各々を補強する。
【００２７】
図１０に示されているように、外郭連結梁５４は、相互に周方向に隣り合う放射梁５０及び５２の各々における先端部間を水平方向に延在して両端部が対応する放射梁５０及び５２に離脱可能に連結される。図１７を参照して、相互に共通の構成部材からなる外郭連結梁５４は、相互に鉛直方向に間隔をおいて平行にかつ水平に延在する上枠５４Ａ及び下枠５４Ｂと、上枠５４Ａ及び下枠５４Ｂの一端間及び他端間をそれぞれ直交するよう延在する一端枠５４Ｃ及び他端枠５４Ｄと、上枠５４Ａ及び下枠５４Ｂ間を延在する１本の補強枠５４Ｅとを備えている。上枠５４Ａ、下枠５４Ｂ及び補強枠５４Ｅは鋼製の中空角材から構成され、一端枠５４Ｃ及び他端枠５４Ｄは一定の幅を有する鋼板から構成されている。これらの各枠部材は相互に溶着されている。
【００２８】
一端枠５４Ｃは、上枠５４Ａ及び下枠５４Ｂの各々に直交する一つの仮想鉛直面上に位置付けられ、他端枠５４Ｄは、平面から見て、上枠５４Ａ及び下枠５４Ｂの各々に直交する一つの仮想鉛直面に対し傾斜した仮想傾斜鉛直面上に位置付けられる。他端枠５４Ｄの傾斜角度は、図１０に示すように、平面から見て、長い放射梁５０の、短い放射梁５２に対する傾斜角度と同じである。一端枠５４Ｃ及び他端枠５４Ｄには、それぞれ２個の取付穴５４Ｆ（短い放射梁５２の取付穴５２Ｈに対応）及び５４Ｇ（長い放射梁５０の取付穴５０Ｈに対応）が形成されている。
【００２９】
図１０及び図１８を参照して、長い放射梁５０の先端枠５０Ｂにおける周方向の両側面に、２本の外郭連結梁５４の傾斜した他端枠５４Ｄが重合され、ねじ部材であるボルト＆ナット６８により離脱可能に共締めされる。図１０及び図１９を参照して、短い放射梁５２の先端枠５２Ｂにおける周方向の両側面に、２本の外郭連結梁５４の一端枠５４Ｃが重合され、ねじ部材であるボルト＆ナット６８により離脱可能に共締めされる。外郭連結梁５４の各々は、平面から見て、前記仮想４角形に沿って延在するよう位置付けられる。
【００３０】
図１及び図１０に示されているように、中間連結梁５６の各々及び中間連結梁５８の各々は、相互に周方向に隣り合う放射梁５０及び５２の中間部間（基端部と先端部との間を３等分する中間位置間）を水平方向にかつ外郭連結梁５４と平行に延在して両端部が対応する放射梁５０及び５２に離脱可能に連結される。
【００３１】
図２０を参照して、相互に共通の構成部材からなる中間連結梁５６は、直線状に延在する鋼製の中空角材から構成され、平面視において、一端面５６Ａは長手方向に直交する面からなり、他端面５６Ｂは長手方向に対し傾斜した面からなる。他端面５６Ｂの傾斜角度は、図１０から容易に理解されるように、平面から見て、長い放射梁５０の、短い放射梁５２に対する傾斜角度と同じである。中間連結梁５６の一端部及び他端部には、上下方向に延在する軸線を有する取付穴（貫通穴）５６Ｃが形成されている。中間連結梁５６と中間連結梁５８との違いは、図１０に示されているように長さが相違するだけで全体の構成は実質的に同じであるので、説明は省略する。
【００３２】
図１０及び図１４を参照して、放射梁５０及び５２の各々の、中間連結梁５６及び５８が連結される前記中間部には、それぞれ支持連結部材７０が配設されている。図１４を参照して、相互に共通の構成部材からなる支持連結部材７０は、鋼板から形成されたチャンネル板部７１と雌ねじ部材７２とを備えている。チャンネル板部７１は、平面矩形状のウェブ７１Ａと、ウェブ７１Ａの両側から同じ長さ垂下する一対の側フランジ７１Ｂと、側フランジ７１Ｂの各々の下端から相互に離隔する方向に水平に延び出す支持フランジ７１Ｃとからなる。雌ねじ部材７２は、金属製円筒部材の内周面に雌ねじが形成されてなり、支持フランジ７１Ｃの各々の上面から直立するよう、一端が溶着されている。このように構成された支持連結部材７０の各々は、チャンネル板部７１が対応する放射梁５０及び５２（具体的には、図１３及び図１２に示す、各々の上端枠５０Ｃ及び５２Ｃ）に対し上方から嵌合され、溶着される。
【００３３】
中間連結梁５６の各々の両端部は、取付穴５６Ｃの各々がそれぞれ対応する放射梁５０及び５２の支持連結部材７０における支持フランジ７１Ｃの一方の雌ねじ部材７２に上方から嵌合されて当該支持フランジ７１Ｃの一方の上面に載置・支持され、かつ上方から雄ねじ部材７３が対応する雌ねじ部材７２に螺合させられることにより、中間連結梁５６の各々の両端部は、それぞれ対応する放射梁５０及び５２の該中間部に離脱可能に締結される（図１４（ｂ）、図１５及び図１６参照）。このような構成は、中間連結梁５６の各々の、対応する放射梁５０及び５２に対する連結及び分解作業を著しく容易にし、作業時間の短縮とコストダウンに大きく寄与する。図１６に示されているように、中間連結梁５６の各々の一端部は、長い放射梁５０に対し平面視で傾斜した位置関係で連結されるので、チャンネル板部７１の支持フランジ７１Ｃの各々は、中間連結梁５６の各々の一端部が載置・支持されうる適宜の形状に形成される。
【００３４】
中間連結梁５８の各々の、対応する放射梁５０及び５２の該中間部に対する連結も実質的に同じ如くして行なわれるので、説明は省略する。なお、上記実施形態において、中間連結梁は、相互に周方向に隣り合う放射梁５０及び５２の中間部間であって、基端部と先端部との間の２箇所間を連結するよう配設されているが、それぞれ１箇所の間又は３箇所以上の間を連結する実施形態もある。また、外郭連結梁を、対応する放射梁５０及び５２に対し、中間連結梁と同じ形態（支持連結部材７０を介する形態）で連結する実施形態もある。この実施形態において、少なくとも外郭連結梁は、中間連結梁５６及び５８と実質的に同じ構成（長さは相違する）であることが好ましい。また、屋根枠６において、中間連結梁が使用されず、外郭連結梁のみが使用される他の実施形態もある。この実施形態においても、外郭連結梁と、対応する放射梁との連結が支持連結部材７０を介して行なわれることがことが好ましい。
【００３５】
図２には、以上のとおりにして組み立てられた組立式構造物の全体図が図示されている。他方図２１には、図２に示す組立式構造物に、屋根７４、フロア７５、フェンス７６などを装着した状態が示されている。屋根７４は、屋根枠６の少なくとも上方を離脱自在に被覆するよう配設されるが、図示の実施形態においては、膜材であるテントから構成され、外郭連結枠５４の周縁外方をも覆うよう被覆されている。屋根７４は、もちろん、テントに替えて複数の屋根板を屋根枠６に取り付ける他の実施形態もある。
【００３６】
次に、図２２〜図３０を参照して、本発明に係る組立式構造物の他の実施形態について説明する。この実施形態において、床枠組立体２、１本の中央支柱４、４個の長い放射梁５０及び４個の短い放射梁５２が配設され、放射梁５０及び５２の各々が、平面から見て、半径方向先端間を結ぶ仮想直線が仮想４角形をなすよう各々の全長が設定されている構成は、図１〜図２１を参照して説明した先の実施形態と実質的に同じであるので、実質的に同じ部分には同じ符号を付し、説明は省略する。この実施形態において、連結梁５４、５６及び５８は備えられていない。
【００３７】
先ず、図２２〜図２４を参照して、少なくとも該仮想４角形の対角線上に配置された長い放射梁５０の各々、実施形態においては全ての放射梁５０及び５２の各々には、屋根板支持枠体８０が離脱可能に連結される。図２５を参照して、相互に共通の構成部材からなる屋根板支持枠体８０は、それぞれ鋼板製の、支持連結チャンネル板８１と３個の取付チャンネル板８２とを備えている。支持連結チャンネル板８１は、一定の幅で直線状に延在する細長いウェブ８１Ａと、ウェブ８１Ａの両側から同じ長さ直立する一対の側フランジ８１Ｂとからなる。側フランジ８１Ｂの各々には、共通の軸線を有する取付穴８１Ｃが形成されている。相互に共通の構成部材からなる取付チャンネル板８２は、ウェブ８２Ａと、ウェブ８２Ａの両側から同じ長さ垂下する一対の側フランジ８２Ｂとからなる。側フランジ８２Ｂの各々には、共通の軸線を有する取付穴８２Ｃが形成されている。支持連結チャンネル板８１のウェブ８１Ａの下面に長手方向に間隔をおいて取付チャンネル板８２の各々のウェブ８２Ａの上面が重合され、一体に溶着される。
【００３８】
再び図２２〜図２４を参照して、放射梁５０及び５２の各々の上端枠５０Ｃ及び５２Ｃには、屋根板支持枠体８０取り付け用の３個の取付穴５０Ｋ（不図示）及び５２Ｋ（図２３）が長手方向に間隔をおいて形成されている。屋根板支持枠体８０の各々における取付チャンネル板８２の各々が放射梁５０及び５２の各々の上端枠５０Ｃ及び５２Ｃに上方から嵌合されてねじ部材であるボルト＆ナット８４により離脱可能に締結される（図２８参照）。屋根板支持枠体８０の各々における支持連結チャンネル板８１は、放射梁５０及び５２の各々の上端枠５０Ｃ及び５２Ｃの上面に沿って上端枠５０Ｃ及び５２Ｃの先端部から基端部よりも手前側の中間位置まで延在するよう配設される。平面から見て、屋根板支持枠体８０の各々における支持連結チャンネル板８１の各々の該中間位置に存在する一端間を結ぶ仮想直線が他の仮想４角形をなすよう各々の該一端の位置が規定される。
【００３９】
図２３、図２７及び図２８を参照して、該他の仮想４角形の対角線上に配置された４個の放射梁５０にそれぞれ締結された屋根板支持枠体８０において、相互に周方向に隣り合う屋根板支持枠体８０の各々間には、それぞれ平面等脚台形を有する主屋根板ユニット８６が架け渡されて離脱可能に連結される。相互に共通の構成部材からなる主屋根板ユニット８６は、枠体８７と、主屋根板８６Ｄとを備えている。枠体８７（図２７）は、一端から他端に向かって相互に設けられた間隔が徐々に拡大するよう延在する一対の側梁８７Ａと、それぞれ側梁８７Ａの一端間及び他端間を延在して両端が溶着される短い連結梁８７Ｂ及び長い連結梁８７Ｃとを備えている。連結梁８７Ｂ及び８７Ｃの各々の長手方向中央間には、中央補強梁８７Ｄが延在して両端がそれぞれ固着されている。側梁８７Ａの各々と長い連結梁８７Ｃとの間、短い連結梁８７Ｂの両端部と長い連結梁８７Ｃとの間にも、それぞれ補強梁８７Ｅ及び８７Ｆが延在して両端がそれぞれ固着されている。上記構成部材の各々は鋼製の中空角材から構成されかつ相互に溶着されるとともに、上面が共通の平面上に位置付けられるが、側梁８７Ａの各々及び中央補強梁８７Ｄは、下面が他の共通の平面上に位置付けられている連結梁８７Ｂ及び８７Ｃ、補強梁８７Ｅ及び８７Ｆの各々の下面から下方に同じ長さ突出した突出部を有するよう構成されている。
【００４０】
例えばアクリル樹脂などの適宜の合成樹脂から形成することができる屋根板８６Ｄは、平面形状が枠体８７の平面形状とほぼ同じに形成され、枠体８７の上面を覆うよう複数のタッピングスクリュー８８により離脱可能に締結される。側梁８７Ａの各々との締結は、押え板８９を介して行なわれている。
【００４１】
主屋根板ユニット８６の各々における側梁８７Ａの各々の突出部が、相互に周方向に隣り合う長い放射梁５０の各々における屋根板支持枠体８０の各々の支持連結チャンネル板８１内に上から挿入されて相互に周方向に近い側に位置する片方の側フランジ８１Ｂにねじ部材であるボルト＆ナット９０により離脱可能に締結されることにより、屋根板支持枠体８０の各々間に主屋根板ユニット８６が装着される。このような構成は、主屋根板ユニット８６の各々を、放射梁５０の各々に対し容易かつ迅速に組み付けかつ分解することを可能にする。該装着状態で、支持連結チャンネル板８１の各々内における主屋根板ユニット８６の各々の側梁８７Ａ間には、所定の隙間が形成される（図２８）。この隙間は、雨樋として機能する。図示の実施形態においては、主屋根板ユニット８６の各々における中央補強梁８７Ｄの突出部が、対応する短い放射梁５２における屋根板支持枠体８０の支持連結チャンネル板８１内に上から挿入されて側フランジ８１Ｂの各々にねじ部材であるボルト＆ナット９０により離脱可能に締結される（図２９）。なお、図２８と図２９とを比較することにより容易に理解されるように、中央補強梁８７Ｄの幅は側梁８７Ａの幅よりも大きく形成されている。
【００４２】
図２２〜図２４を参照して、平面から見て、主屋根板ユニット８６の各々における側梁８７Ａの一端間を延在する４個の短い連結梁８７Ｂの内側に形成された４角形の空間内に存在する放射梁５０及び５２の各々上には、平面４角形の輪郭を有する１個の中央屋根板ユニット１００が離脱自在に連結される。
【００４３】
図２２〜図２５及び図３０に示されているように、中央屋根板ユニット１００は、枠体１０２と、４個の中央屋根板１０４とを備えている。枠体１０２は、中央支柱４に支持されて該４角形の空間内に存在する長い放射梁５０及び短い放射梁５２の各々に対応して、中心部から半径方向外方に向かって下方に傾斜して延び出す４個の長い放射梁１０６及び４個の短い放射梁１０８であって、それぞれ鋼製の中空角材から構成された放射梁１０６及び１０８と、放射梁１０６及び１０８の各々の先端が溶着されかつ該４角形の空間の内側周縁に沿って延在する４角形の外郭梁１１０とを備えている。４個の中央屋根板１０４は、それぞれ平面形状が二等辺三角形をなしかつ、放射梁１０６及び１０８の各々の上面を覆うよう、相互に周方向に間隔をおいて隣り合う長い放射梁１０６の各々間に跨って位置付けられるとともに、放射梁１０６及び１０８の各々にタッピングスクリュー１１２（図２６）により固着される。
【００４４】
中央屋根板ユニット１００における、少なくとも該４角形の対角線上を延在する放射梁１０６、実施形態においては全ての放射梁１０６及び１０８には、水平方向両側からそれぞれ下方に延び出す一対の取付フランジ１０６Ａ（不図示）及び１０８Ａ（図２６）が長手方向に間隔をおいて複数対、溶着される。中央屋根板ユニット１００の放射梁１０６及び１０８に溶着された取付フランジ１０８Ａの各対が、中央支柱４に支持されて該４角形の空間内に存在する放射梁５０及び５２に上から嵌合されてねじ部材であるボルト＆ナット１１４により離脱可能に締結される。このような構成は、中央屋根板ユニット１００を、放射梁５０及び５２に対し容易かつ迅速に組み付けかつ分解することを可能にする。中央屋根板ユニット１００の周縁部、すなわち中央屋根板１０４の各々の周縁部は、主屋根板ユニット８６の各々における中央屋根板１０４の上端領域を上から覆うよう位置付けられる。
【００４５】
なお、図２２〜図３０を参照して説明した実施形態において、複数の放射梁は、長い放射梁５０と短い放射梁５２とから構成されているが、これに代えて、複数の放射梁が、周方向に等角度の間隔をおいて配置されかつ、平面から見て、半径方向先端間を結ぶ仮想直線が５角形以上の仮想正多角形をなすよう各々の全長が等しく設定された他の実施形態もある。この実施形態において、屋根板支持枠体８０（図２５）は、放射梁の各々に離脱可能に連結される。平面から見て、等脚台形を有する主屋根板ユニットの各々における側梁の一端間を延在する他の仮想正多角形の数と同じ数の連結梁の内側に形成された正多角形の空間内に存在する放射梁の各々上には、平面該正多角形の輪郭を有する１個の中央屋根板ユニットが離脱自在に連結され、中央屋根板ユニットの周縁部は、主屋根板ユニットの各々における上端領域を上から覆うよう位置付けられる。
【００４６】
図３１〜図３５には、本発明に係る組立式構造物の更に他の実施形態が図示されている。この実施形態における基本的構成は、図１〜図２１を参照して説明した先の実施形態と実質的に同じであり、相違するところは、放射梁の長さが全て同じであること、放射梁の各々は、平面から見て、半径方向先端間を結ぶ仮想直線が５角形以上の仮想多角形、実施形態においては仮想正８角形をなすよう各々の全長及び周方向の角度間隔が等しく設定されていることである。したがって、図３１〜図３５において、該先の実施形態と実質的に同じ部分には同じ符号を付し、説明は省略する。
【００４７】
図３１〜図３４を参照して、組立式構造物は、床枠組立体２と、床枠組立体２の中央部から直立する１本の中央支柱４と、中央支柱４に支持された屋根枠１１６とを備えている。屋根枠１１６は、８個の放射梁１１８と、８個の外郭連結梁１２０と、それぞれ８個の中間連結梁１２２及び１２４とを備えている。放射梁１１８の各々は、放射梁５０又は５２と実質的に同じ構成である。８個の外郭連結梁１２０は、外郭連結梁５４（図１７〜図１９参照）と実質的に同じ構成であるが、一端枠及び他端枠が、平面から見て、対応する放射梁１１８に対する交差角度に対応するよう傾斜している。中間連結梁１２２及び１２４の各々は、それぞれ放射梁１１８に、支持連結部材７０（図１４〜図１６参照）を介して離脱可能に連結されかつ中間連結梁５６（図２０）と実質的に同じ構成であるが、各々の両端面は、図３９に示されているように、放射梁１１８に対する交差角度に対応するよう傾斜している。
【００４８】
図３５には、図３２に示す組立式構造物に、屋根１１７、フロア１１８、フェンス１１９などを装着した状態が示されている。屋根１１７は、屋根枠１１６の少なくとも上方を離脱自在に被覆するよう配設されるが、図示の実施形態においては、膜材であるテントから構成され、外郭連結梁１２０の周縁外方をも覆うよう被覆されている。屋根７４は、もちろん、テントに替えて複数の屋根板を屋根枠６に取り付ける他の実施形態もある。
【００４９】
図３６〜図３９には、本発明に係る組立式構造物の更に他の実施形態が図示されている。先ず図３６及び図３７を参照して、この組立式構造物は、ベース部材である基礎１３０と、中央支柱４と、８個の放射梁１３２と、外郭連結梁１３４と、中間連結枠１３６とを備えている。基礎１３０は、平面矩形状のプレキャストコンクリート板から形成され、複数の雌ねじ部材１３０Ａが埋設され、雌ねじ穴が上面に開口されている。基礎１３０は、載置面に載置される、または、地面に上面を残して埋設・固定される、などの形態で設置される。中央支柱４は、図１〜図２１を参照して説明した組立式構造物の中央支柱４と実質的に同じ構成を有するので、同一部分に同一符号を付し、説明は省略する。中央支柱４は、支持基板４６が基礎１３０の上面に載置され、ねじ部材であるボルト１３７により離脱可能に締結されることにより、基礎１３０の上面から直立するよう配設される。
【００５０】
中央支柱４の支柱本体４８における最上端領域に配設された放射梁１３２の支持部４８Ｓは、８個の支持枠１３８から構成されている。支持枠１３８の各々は、図７〜図９に示されている上支持枠６０と実質的に同じ構成を有しかつ上下方向長さを長くするとともに取付穴６０Ｄに対応する取付穴１３８Ｄを３個形成した構成であり、周方向の配置も実質的に同じであるので、説明は省略する。
【００５１】
相互に共通の構成部材からなる放射梁１３２の各々は、一定の厚みを有する木材から形成され、長い基端面及び短い先端面はそれぞれ鉛直方向に延在し、下端面は水平に延在しかつ上端面は基端面から先端面に向かって下方に傾斜して延在する。放射梁１３２の各々の基端部には、支持枠１３８の取付穴１３８Ｄに対応して図示しない３個の取付穴が形成されている。放射梁１３２の各々は、中央支柱４の対応する支持枠１３８に図示しないボルト＆ナットにより離脱可能に締結される。平面から見て、放射梁１３２の各々の半径方向先端間を結ぶ仮想直線は仮想正８角形をなす。
【００５２】
相互に実質的に同じ構成を有する外郭連結枠１３４は、図３９に示されているように、矩形断面の木材製角材から構成され、両端面は、平面から見て、それぞれ、対応する放射梁１３２に交差する角度に対応した傾斜面に形成されている。外郭連結枠１３４の両端部には、取付穴１３４Ａが形成されている。中間連結梁１３６の各々も長さ違いで外郭連結枠１３４と実質的に同じ構成を有している。放射梁１３２の各々の、外郭連結枠１３４及び中間連結梁１３６の各々が連結される先端位置及び中間位置には、それぞれ支持連結部材７０（図１４〜図１６参照）がタッピングスクリュー１３７により固着されている。外郭連結枠１３４及び中間連結梁１３６の各々の両端部は、それぞれ対応する放射梁１３２に、支持連結部材７０を介して、先に述べたと同じ如くして雄ねじ部材７３により離脱可能に締結される（図３８及び図３９参照）。放射梁１３２、外郭連結枠１３４及び中間連結梁１３６の各々上には、例えばテントなどの屋根が装着されて使用されることはいうまでもない。この組立式構造物においては、外郭連結枠１３４及び中間連結梁１３６の全てが、それぞれ対応する放射梁１３２に、支持連結部材７０を介して離脱可能に締結されるので、設置現場における組立作業及び分解作業を、より容易にかつ迅速に行なうことが可能になる。なお、基礎１３０に代えて、１枚以上の鉄板を使用する他の実施形態もある。なお、床枠組立体２の中央から直立する中央支柱４を備えた他の組立式構造物においても、床枠組立体２に代えて、基礎１３０又は１枚以上の鉄板を使用する、他の実施形態も可能である。
【００５３】
図４０〜図４２には、本発明に係る組立式構造物の更に他の実施形態が図示されている。この組立式構造物は、床枠組立体２と、中央支柱４と、それぞれ複数の、実施形態においてはそれぞれ８個の、放射梁１４０、屋根板支持枠体８０及び屋根板ユニット１４２とを備えている。床枠組立体２及び中央支柱４は、図1〜図２１及び図２２〜図３０を参照して説明した先の実施形態におけるのと実質的に同じであるので、同一部分を同一符号で示し、説明は省略する。また、中央支柱４の上端領域に配設された支持部４８Ｓに支持される放射梁１４０の各々の基本的構成は、図２３に示す放射梁５２と実質的に同じであるので、対応する部分を対応する符号で示し、説明は省略する。この実施形態において、放射梁１４０の各々は、中央支柱４の支持部４８Ｓから半径方向外方にかつ周方向に等しい角度の間隔をおいて延び出すよう支持されかつ、平面から見て、半径方向先端間を結ぶ仮想直線が仮想多角形、実施形態においては仮想正８角形をなすよう各々の全長が等しく設定されている。
【００５４】
屋根板支持枠体８０の各々は、図２３及び図２５に示されているものと実質的に同じ構成を有しているが全長が長く、放射梁１４０の各々に取り付けられた状態で、屋根板支持枠体８０の支持連結チャンネル板８１の各々は、放射梁１４０の上面に沿って先端部から基端部まで延在するよう位置付けられる。支持連結チャンネル板８１の各々の一端は、支柱本体４８の上端において、それぞれ突き合わされている（図４１）。
【００５５】
相互に共通の構成部材からなる屋根板ユニット１４２の各々は、枠体１４３と、屋根板１４４とを備えている。枠体１４３は、相互に固着された一端部から、放射梁１４０の各々間の周方向角度と同じ角度をもって放射状に延在する一対の側梁１４３Ａと、側梁１４３Ａ間を延在してそれぞれ固定される少なくとも１本の、実施形態においては２本の連結梁１４３Ｂ及び１４３Ｃであって、上面が側梁１４３Ａの各々の上面と共通の平面上に位置付けられた連結梁１４３Ｂ及び１４３Ｃとを備え、平面から見て二等辺三角形をなしている。側梁１４３Ａの各々、連結梁１４３Ｂ及び１４３Ｃの各々は、鋼製の中空角材から構成されている。連結梁１４３Ｂ及び１４３Ｃの各々は同じ断面形状を有し、側梁１４３Ａの各々は、連結梁１４３Ｂ及び１４３Ｃの下面から下方に同じ長さ突出した突出部を有するよう構成されている。適宜の合成樹脂（例えばアクリル樹脂）から形成される屋根板１４４は、枠体１４３とほぼ同じ二等辺三角形をなし、枠体１４３の上面を覆うよう図示しない複数のタッピングスクリューにより固着される。
【００５６】
屋根板ユニット１４２の各々における側梁１４３Ａの各々の突出部が、相互に周方向に隣り合う屋根板支持枠体８０の各々の支持連結チャンネル板８１内に上から挿入されて相互に周方向に近い側に位置する片方の側フランジ８１Ｂにボルト＆ナット９０により離脱可能に締結されることにより、屋根板ユニット１４２の各々は、屋根板支持枠体８０の各々間に跨って装着される。該装着状態で、支持連結チャンネル板８１の各々内における屋根板ユニット１４２の各々の側梁１４３Ａ間には、所定の隙間が形成される。屋根板ユニット１４２の各々の枠体１４３及び屋根板１４４の頂点（二等辺三角形の頂点）は、支柱本体４８の上端において、それぞれ突き合わされている（図４１）。中央支柱４の上端の上方位置には、円形の周縁を有するカバー板部材１４５が屋根板ユニット１４２の各々の頂点を中心とする中心領域を上方から覆うように固着される。
【００５７】
図４０〜図４２を参照して説明した実施形態においては、放射梁１４０の各々は、平面から見て、半径方向先端間を結ぶ仮想直線が仮想正８角形をなすよう各々の全長が等しく設定されているが、仮想直線が仮想正４角形、例えば仮想４角形をなすよう各々の全長が設定される他の実施形態もある。この実施形態において、屋根板ユニット１４２は４個使用され、それぞれ該仮想４角形の対角線上に配置された４個の放射梁にそれぞれ締結された屋根板支持枠体において相互に周方向に隣り合う屋根板支持枠体の各々間に架け渡されて離脱可能に連結される、他の実施形態もある。
【００５８】
図４３〜図４８には、本発明に係る組立式構造物の更に他の実施形態が図示されている。この組立式構造物は、図４０〜図４２を参照して説明した先の実施形態と基本的構成は同じであって、相違する主要なところは、放射梁１５０の各々の上端面が、基端部から先端部にわたって下方に傾斜しているのではなく、先端部から基端部にわたって下方に傾斜している、ことである。したがって、図４０〜図４２を参照して説明した先の実施形態と実質的に同一部分には同一符号を付し、説明は省略する。図４６及び図４７に示されているように、放射梁１５０については、放射梁１４０に対応する部分には対応する符号を付してある。放射梁１５０において、上端枠１５０Ｃ及び下端枠１５０Ｄはそれぞれ基端部から先端部にわたって上方に傾斜している。なお、この実施形態において、屋根板ユニット１４２の各々の枠体１４３には、図４４及び図４５に図示されているように、連結梁１４３Ｂ及び１４３Ｃに加えて連結梁１４３Ｄが追加されている。
【００５９】
図４７〜図４８のうち主として図４８を参照して、中央支柱４の支柱本体４８は横断面が円形又は多角形の管部材から形成され（実施形態においては横断面が円形の管部材から形成され）、支柱本体４８の上端には、鋼板製の環状板部材１５２が溶着されている。環状板部材１５２の中央には貫通穴１５２Ａが形成されかつ、円形外周縁から貫通穴１５２Ａの内周縁に向かって下方に傾斜している。環状板部材１５２の貫通穴１５２Ａの内周縁は、支柱本体４８の内周面よりも半径方向内側に位置付けられ、環状板部材１５２の外周縁は支柱本体４８の外周面よりも半径方向外側に位置付けられる。屋根板支持枠体８０の各々の支持連結チャンネル板８１及び屋根板ユニット１４２の各々の中央支柱４の中心側における一端は、環状板部材１５２の、少なくとも外周縁よりも半径方向内側に位置付けられる。
【００６０】
このように構成された組立式構造物は排水性に優れている。すなわち、屋根板ユニット１４２の各々の上面に降り注がれた雨水は、支柱本体４８の中心に向かって流され、環状板部材１５２の貫通穴１５２Ａから支柱本体４８内に流出させられる。この雨水は、支柱本体４８内を落下し、支持基板４６の中央に形成された図示しない貫通穴を通って設置面に排水される。なお、床枠組立体２の対応する箇所には、適宜の図示しない排水手段を形成しておくことはいうまでもない。
【００６１】
図４９〜図５６には、本発明に係る組立式構造物の更に他の実施形態が図示されている。先ず、図４９及び図５０を参照して、組立式構造物は、床枠組立体１６０と、少なくとも４本の支柱１６２、実施形態においては、４角形の床枠組立体１６０の４つの隅部から直立する４本の支柱１６２と、支柱１６２の各々の上端に支持された屋根枠組立体１６４とを備えている。
【００６２】
図５１と図３とを比較することにより容易に理解される如く、図５１に図示された床枠組立体１６０は、図３に図示された床枠組立体２から、床枠体８の各々に配設された補助枠２６の各々と、補助枠２６、中間枠２４及び他側枠１６の各々に形成された取付穴２８とを除いた構成を有しているので、主要な同一部分を同一符号で示し説明は省略する。なお、床枠組立体１６０の４隅に配設されたジャッキ設置用枠体１２（図５２）の本体１２Ａの上端には、図５２（ｂ）に示されているように、鋼製の支持板１６１が溶着されている。支持板１６１は、本体１２Ａとほぼ同じ輪郭の矩形を有し、４個の雌ねじ穴１６１Ａ（図５１）が形成されている。床枠組立体１６０は、ジャッキ設置用枠体１２に離脱可能に装着された９個のジャッキ部材４０［図５２（ｃ）］を介して載置面上に載置される。
【００６３】
図５２を参照して、相互に共通の構成部材からなる支柱１６２の各々は、支持基板１６５と、支持基板１６５から直立する支柱本体１６６と、支柱本体１６６の上端に配設された支持部材１６８とを備えている。支持基板１６５は、正方形の鋼板から形成され、周縁部には４個の取付穴（不図示）が形成されている。支柱本体１６６は円形横断面を有する鋼管から形成されている。鋼板から形成される支持部材１６８は、ウェブ１６８Ａとウェブ１６８Ａの両側から同じ長さ直立する一対の側フランジ１６８Ｂとからなるチャンネル形状をなしかつ、ウェブ１６８Ａの外面が支柱本体１６６の上端に当接されて溶着される。側フランジ１６８Ｂの各々には、それぞれ４個の取付穴１６８Ｃが形成されている。支柱１６２の各々は、支持基板１６５が、床枠組立体１６０（図５１）の四隅に配設されたジャッキ設置用枠体１２（図５２）の支持板１６１上に載置された状態で、ボルト１６９により離脱可能に締結されることにより、床枠組立体１６０の四隅から直立するよう配設される（図５０）。
【００６４】
図５０及び図５３を参照して、屋根枠組立体１６４は、中央に配置された中央支持枠体１７０と、それぞれ４個の長い放射梁５０及び短い放射梁５２と、外郭連結梁５４と、中間連結梁５６及び５８とを備えている。中間連結梁５６及び５８の各々と、対応する放射梁５０及び５２とは、それぞれ支持連結部材７０（図１４〜図１６）を介して離脱可能に連結される。このような構成は、中央支持枠体１７０を除き、図１〜図２１を参照して説明した先の実施形態と実質的に同じであるので、同一部分に同一符号を付し、説明は省略する。
【００６５】
図５４を参照して、中央支持枠体１７０は、それぞれ1本の鉛直軸線回りに放射状に配列された、２個のチャンネル板部１７２及び１７４と、４個のチャンネル板部１７６とを備えている。チャンネル板部１７２の各々は、一定の水平方向幅で相互に上下方向に平行に延在する一対の側板１７２Ａと、側板１７２Ａの各々の水平方向両端に対し水平方向内側に間隔をおいた位置の間を直角に延在して両端が溶着される底板１７２Ｂとを備えている。底板１７２Ｂはチャンネル板部１７２のウェブを構成し、側板１７２Ａの各々の、底板１７２Ｂから先端までの領域は、ウェブの両側から直角にかつ相互に平行に同じ長さ延び出す、チャンネル板部１７２の一対の側フランジを構成する。チャンネル板部１７４の各々は、チャンネル板部１７２の側板１７２Ａの各々の水平幅方向中央部において、該幅方向に間隔をおいて直角に水平に同じ長さ延び出す一対の側板１７４Ａと、側板１７４Ａの各々の水平方向先端に対し水平方向内側に間隔をおいた位置の間を直角に延在して両端が溶着される底板１７４Ｂとを備えている。底板１７４Ｂはチャンネル板部１７４のウェブを構成し、側板１７４Ａの各々の、底板１７４Ｂから先端までの領域は、ウェブの両側から直角にかつ相互に平行に同じ長さ延び出す、チャンネル板部１７４の一対の側フランジを構成する。チャンネル板部１７６の各々は、一定の水平方向幅で相互に上下方向に平行に延在する一対の側板１７６Ａと、側板１７６Ａの一端間を直角に延在する底板１７６Ｂとから一体に構成されている。底板１７６Ｂは、チャンネル板部１７６のウェブを構成し、側板１７６Ａの各々は、ウェブの両側から直角にかつ相互に平行に同じ長さ延び出す、チャンネル板部１７６の一対の側フランジを構成する。チャンネル板部１７６の、底板１７６Ｂの両端と側板１７６Ａとが交わる角部外面は、それぞれチャンネル板部１７２の側板１７２Ａの外面及びチャンネル板部１７４の側板１７４Ａの外面に溶着されている。チャンネル板部１７２、１７４及び１７６の側板１７２Ａ、１７４Ａ及び１７６Ａの各対には、それぞれ共通の軸線を有する５個の取付穴１７２Ｃ、１７４Ｃ及び１７６Ｃが形成されている（取付穴１７６Ｃは中心線のみが図示されている）。なお、放射梁５０及び５２の基端部にも、これらの取付穴に対応してそれぞれ５個の取付穴が形成されている。
【００６６】
図５５を参照して、チャンネル板部１７２、１７４及び１７６の各々は、各々のウェブである底板１７２Ｂ、１７５Ｂ及び１７６Ｂの外面が前記1本の鉛直軸線に向けられかつ、一対の側フランジである側板１７２Ａ、１７５Ａ及び１７６Ａの各々の先端が半径方向外方に向けられた状態で鉛直方向に直線状に延在するよう構成される。放射梁５０及び５２の各々の基端部は、中央支持枠体１７０のチャンネル板部１７２、１７４及び１７６の各々における一対の側フランジ間に挿入されてボルト＆ナット１７８により離脱可能に締結される。
【００６７】
以上のとおりにして構成された屋根枠組立体１６４は、図５０に示されているように、支柱１６２の各々に支持される放射梁の各々、実施形態においては４個の長い放射梁５０の各々の基端部と先端部との間における中間位置（図４９において小さな丸１７９で示されている位置）が、対応する支柱１６２の支持部材１６８における一対の側フランジ１６８Ｂ間に挿入・支持されてボルト＆ナット（不図示）により離脱可能に締結されることにより、支柱１６２の各々の上端に支持される。
【００６８】
図５６には、図５０に示す組立式構造物に、屋根１８０、フロア１８２、フェンス１８４などを装着した状態が示されている。屋根１８０は、屋根枠１６４の少なくとも上方を離脱自在に被覆するよう配設されるが、図示の実施形態においては、膜材であるテントから構成され、外郭連結枠５４の周縁外方をも覆うよう被覆されている。屋根１８０は、もちろん、テントに替えて複数の屋根板を屋根枠１６４に取り付ける他の実施形態もある。
【符号の説明】
【００６９】
２：床枠組立体
４：中央支柱
６：屋根枠
５０、５２、１１８、１３２、１４０：放射梁
５４、１２０、１３４：外郭連結梁
５６、５８、１２２、１２４、１３６：中間連結梁
７０：支持連結部材
【図１】
0005417139.tif 000002
【図２】
0005417139.tif 000003
【図３】
0005417139.tif 000004
【図４】
0005417139.tif 000005
【図５】
0005417139.tif 000006
【図６】
0005417139.tif 000007
【図７】
0005417139.tif 000008
【図８】
0005417139.tif 000009
【図９】
0005417139.tif 000010
【図１０】
0005417139.tif 000011
【図１１】
0005417139.tif 000012
【図１２】
0005417139.tif 000013
【図１３】
0005417139.tif 000014
【図１４】
0005417139.tif 000015
【図１５】
0005417139.tif 000016
【図１６】
0005417139.tif 000017
【図１７】
0005417139.tif 000018
【図１８】
0005417139.tif 000019
【図１９】
0005417139.tif 000020
【図２０】
0005417139.tif 000021
【図２１】
0005417139.tif 000022
【図２２】
0005417139.tif 000023
【図２３】
0005417139.tif 000024
【図２４】
0005417139.tif 000025
【図２５】
0005417139.tif 000026
【図２６】
0005417139.tif 000027
【図２７】
0005417139.tif 000028
【図２８】
0005417139.tif 000029
【図２９】
0005417139.tif 000030
【図３０】
0005417139.tif 000031
【図３１】
0005417139.tif 000032
【図３２】
0005417139.tif 000033
【図３３】
0005417139.tif 000034
【図３４】
0005417139.tif 000035
【図３５】
0005417139.tif 000036
【図３６】
0005417139.tif 000037
【図３７】
0005417139.tif 000038
【図３８】
0005417139.tif 000039
【図３９】
0005417139.tif 000040
【図４０】
0005417139.tif 000041
【図４１】
0005417139.tif 000042
【図４２】
0005417139.tif 000043
【図４３】
0005417139.tif 000044
【図４４】
0005417139.tif 000045
【図４５】
0005417139.tif 000046
【図４６】
0005417139.tif 000047
【図４７】
0005417139.tif 000048
【図４８】
0005417139.tif 000049
【図４９】
0005417139.tif 000050
【図５０】
0005417139.tif 000051
【図５１】
0005417139.tif 000052
【図５２】
0005417139.tif 000053
【図５３】
0005417139.tif 000054
【図５４】
0005417139.tif 000055
【図５５】
0005417139.tif 000056
【図５６】
0005417139.tif 000057